(57)【要約】【課題】  録画予約を設定した装置が予約録画を実行できない可能性が高い場合に、当該予約録画を実行させることのできる通信装置を提供する。【解決手段】  登録された録画予約情報による録画開始時刻の所定時間になったことを検出すると（Ｓ８０１のＹｅｓ）、当該録画予約情報による録画予約が設定されている録画装置に対し、当該予約録画の実行が可能であるかを問い合わせる確認要求を送信する（Ｓ８０２）。録画装置１１が予約録画を実行できない蓋然性が高い場合には（Ｓ８０３のＮｏ、Ｓ８０４のＮｏ）、録画予約設定部３０５は他の装置に対し、録画装置１１に設定されていた録画予約と同様の内容での録画予約を設定する（Ｓ８０５）。【選択図】      図８
2008117433.tif 000002
【特許請求の範囲】
【請求項１】
録画機能を提供する録画装置とネットワークを介して通信する通信部と、
前記録画装置に設定された録画予約の録画予約情報を記憶する記憶部と、
前記録画予約情報に基づく録画を前記録画装置が実行できるか否かを確認する確認要求
を前記通信部から送信する録画実行確認部と、
前記録画実行確認部が送信した確認要求に対する応答に応じて、前記録画予約情報によ
る録画予約を前記録画装置とは異なる他の録画装置に設定する録画予約設定部と
を備えることを特徴とする通信装置。
【請求項２】
前記録画予約設定部は、前記録画実行確認部からの確認要求に対する応答が無かった場
合、又は録画不可の応答を受信した場合に、前記録画予約情報による録画予約を前記録画
装置とは異なる他の録画装置に設定すること
を特徴とする請求項１記載の通信装置。
【請求項３】
前記録画実行確認部は、前記録画予約情報に係る録画開始時刻の所定時間前に前記確認
要求を前記通信部から送信すること
を特徴とする請求項１記載の通信装置。
【請求項４】
前記録画予約設定部は、前記録画予約情報による録画予約要求を前記録画装置とは異な
る前記他の録画装置に送信すること
を特徴とする請求項１記載の通信装置。
【請求項５】
前記録画予約設定部は、内蔵する前記他の録画装置に録画予約を設定すること
を特徴とする請求項１記載の通信装置。
【請求項６】
前記録画実行確認部からの確認要求に対する応答が無かった場合、又は録画不可の応答
を受信した場合に、前記録画装置での録画が不可であることを通知する通知部
をさらに備えることを特徴とする請求項１記載の通信装置。
【請求項７】
ＵＰｎＰ  ＳＲＳを提供する録画装置とネットワークを介して通信する通信部と、
前記録画装置に設定されたｒｅｃｏｒｄＳｃｈｅｄｕｌｅを記憶する記憶部と、
前記ｒｅｃｏｒｄＳｃｈｅｄｕｌｅに基づく録画を前記録画装置が実行できるか否かを
確認する確認要求を前記通信部から送信する録画実行確認部と、
前記録画実行確認部が送信した確認要求に対する応答に応じて、前記ｒｅｃｏｒｄＳｃ
ｈｅｄｕｌｅに基づくＣｒｅａｔｅＲｅｃｏｒｄＳｃｈｅｄｕｌｅアクションを前記録画
装置とは異なる他の録画装置に送信する録画予約設定部と
を備えることを特徴とする通信装置。
【請求項８】
前記録画予約設定部は、前記録画実行確認部が送信した確認要求に対する応答が無かっ
た場合、又は録画不可の応答を受信した場合に、前記ｒｅｃｏｒｄＳｃｈｅｄｕｌｅに基
づくＣｒｅａｔｅＲｅｃｏｒｄＳｃｈｅｄｕｌｅアクションを前記録画装置とは異なる他
の録画装置に送信すること
を特徴とする請求項６記載の通信装置。
【請求項９】
前記録画実行確認部は、前記ｒｅｃｏｒｄＳｃｈｅｄｕｌｅに係る録画開始時刻の所定
時間前に前記確認要求を前記通信部から送信すること
を特徴とする請求項６記載の通信装置。
【請求項１０】
第１の通信装置及び第２の通信装置とネットワークを介して通信し、録画機能を提供す
る録画装置であって、
前記第１の通信装置からネットワークを介して録画予約要求を受信する録画予約情報受
信部と、
前記録画予約要求に基づいて生成した録画予約情報に基づき予約録画を行う予約録画部
と、
前記録画予約要求に対する応答として前記録画予約情報を前記第１の通信装置に送信す
る応答部と、
前記録画予約情報を前記第１の通信装置に送信する登録部と
を備えることを特徴とする録画装置。
【発明の詳細な説明】
【技術分野】
【０００１】
本発明は、通信装置、及び録画装置に関する。
【背景技術】
【０００２】
近年、ホームネットワーク技術として例えばＤＬＮＡ（Ｄｉｇｉｔａｌ  Ｌｉｖｉｎｇ
Ｎｅｔｗｏｒｋ  Ａｌｌｉａｎｃｅ）の開発が進められている。ＤＬＮＡで利用する要
素技術の１つにＵＰｎＰ（Ｕｎｉｖｅｒｓａｌ  Ｐｌｕｇ  ａｎｄ  Ｐｌａｙ）がある。
特に、サーバ装置が提供する録画予約に関する要素技術としてＵＰｎＰ  ＳＲＳ（Ｓｃｈ
ｅｄｕｌｅｄ  Ｒｅｃｏｒｄｉｎｇ  Ｓｅｒｖｉｃｅ、例えば非特許文献１参照）が利用
されている。
【非特許文献１】Ａｌａｎ  Ｐｒｅｓｓｅｒ、外１３名、“ＳｃｈｅｄｕｌｅｄＲｅｃｏｒｄｉｎｇ：１  Ｓｅｒｖｉｃｅ  Ｔｅｍｐｌａｔｅ  Ｖｅｒｓｉｏｎ  １．０１”、［ｏｎｌｉｎｅ］、２００６年３月３１日、ＵＰｎＰ  Ｆｏｒｕｍ、［平成１８年８月１０日検索］、インターネット（ＵＲＬ：http://www.upnp.org/specs/av/UPnP-av-ScheduledRecording-v1-Service-20060531.pdf
【発明の開示】
【発明が解決しようとする課題】
【０００３】
このようなネットワークを介した予約録画を行う場合、当該録画予約が設定されたサー
バ装置が例えばノートＰＣ（Ｐｅｒｓｏｎａｌ  Ｃｏｍｐｕｔｅｒ）等の携帯型の装置で
あった場合や、チューナのアンテナケーブルが抜ける等の事情により正常に録画できない
場合がある。
【０００４】
そこで本発明は、録画予約を設定した装置が予約録画を実行できない可能性が高い場合
に、当該予約録画を実行させることのできる通信装置を提供することを目的とする。
【課題を解決するための手段】
【０００５】
上記目的を達成するために、請求項１記載の通信装置は、録画機能を提供する録画装置
とネットワークを介して通信する通信部と、前記録画装置に設定された録画予約の録画予
約情報を記憶する記憶部と、前記録画予約情報に基づく録画を前記録画装置が実行できる
か否かを確認する確認要求を前記通信部から送信する録画実行確認部と、前記録画実行確
認部が送信した確認要求に対する応答に応じて、前記録画予約情報による録画予約を前記
録画装置とは異なる他の録画装置に設定する録画予約設定部とを備えることを特徴とする
。
【０００６】
請求項６記載の通信装置は、ＵＰｎＰ  ＳＲＳを提供する録画装置とネットワークを介
して通信する通信部と、前記録画装置に設定されたｒｅｃｏｒｄＳｃｈｅｄｕｌｅを記憶
する記憶部と、前記ｒｅｃｏｒｄＳｃｈｅｄｕｌｅに基づく録画を前記録画装置が実行で
きるか否かを確認する確認要求を前記通信部から送信する録画実行確認部と、前記録画実
行確認部が送信した確認要求に対する応答に応じて、前記ｒｅｃｏｒｄＳｃｈｅｄｕｌｅ
に基づくＣｒｅａｔｅＲｅｃｏｒｄＳｃｈｅｄｕｌｅアクションを前記録画装置とは異な
る他の録画装置に送信する録画予約設定部とを備えることを特徴とする。
【０００７】
請求項９記載の録画装置は、第１の通信装置及び第２の通信装置とネットワークを介し
て通信し、録画機能を提供する録画装置であって、前記第１の通信装置からネットワーク
を介して録画予約要求を受信する録画予約情報受信部と、前記録画予約要求に基づいて生
成した録画予約情報に基づき予約録画を行う予約録画部と、前記録画予約要求に対する応
答として前記録画予約情報を前記第１の通信装置に送信する応答部と、前記録画予約情報
を前記第１の通信装置に送信する登録部とを備えることを特徴とする。
【発明の効果】
【０００８】
本発明によれば、録画予約を設定した装置が予約録画を実行できない可能性が高い場合
に、当該予約録画を実行させることのできる通信装置を提供することができる。
【発明を実施するための最良の形態】
【０００９】
以下、本発明の通信装置について、図面を参照しながら説明する。
【実施例１】
【００１０】
図1は、本発明の通信装置の実施例１である録画確認装置が使用される通信システムの
構成を示す図である。通信システム１は、放送波を受信し録画する機能を有する録画装置
１２及び１３と、録画確認装置１３とから構成される。尚、録画装置１１及び１２と録画
確認装置１３とは、其々ＴＣＰ（Ｔｒａｎｓｍｉｓｓｉｏｎ  Ｃｏｎｔｒｏｌ  Ｐｒｏｔ
ｏｃｏｌ）／ＩＰ（Ｉｎｔｅｒｎｅｔ  Ｐｒｏｔｏｃｏｌ）により通信が行われるネット
ワーク１４に接続される。
【００１１】
ここで、録画装置１１、１２は例えばＤＶＤ（Ｄｉｇｉｔａｌ  Ｖｅｒｓａｔｉｌｅ  
Ｄｉｓｋ）レコーダやＨＤＤ（Ｈａｒｄ  Ｄｉｓｋ  Ｄｒｉｖｅ）レコーダ等である。ま
た、ネットワーク１４は、例えばＬＡＮ（Ｌｏｃａｌ  Ａｒｅａ  Ｎｅｔｗｏｒｋ）等で
ある。
【００１２】
録画確認装置１３は、録画装置１１及び録画装置１２に設定された全ての録画予約情報
をデータベースに格納する機能を有する。更に録画確認装置１３は、データベースに格納
した当該録画予約情報に基づき、録画予約が設定された録画装置に対して録画開始時刻前
に録画を実行できるか否かを確認する確認要求を送信する機能を有する。
【００１３】
ここで、録画装置１１及び１２と録画確認装置１３とは、それぞれＵＰｎＰに対応した
ＡＶ（Ａｕｄｉｏ／Ｖｉｓｕａｌ）機器である。ＵＰｎＰでは、ＡＶ機器向けにＵＰｎＰ
ＡＶ  Ａｒｃｈｉｔｅｃｔｕｒｅという仕様が規定されている。このＵＰｎＰ  ＡＶ  
Ａｒｃｈｉｔｅｃｔｕｒｅではネットワークの基本構成として、デバイス（Ｄｅｖｉｃｅ
）、サービス（Ｓｅｒｖｉｃｅ）、コントロールポイント（Ｃｏｎｔｒｏｌ  Ｐｏｉｎｔ
）が定義されている。デバイスはＵＰｎＰ  ＡＶに対応した装置であり、サービスはデバ
イスが提供する機能を表す最小単位である。各デバイスは、少なくとも１つのサービスを
有する被制御機器である。コントロールポイントは、デバイスの有するサービスを制御し
、利用する。１つの装置の中に複数のデバイス機能を持たせる事もでき、更に、コントロ
ールポイントとデバイスとが一体となった機器を考えることもできる。
【００１４】
ＵＰｎＰ  ＡＶ  Ａｒｃｈｉｔｅｃｔｕｒｅでは、被制御機能を実装し、コンテンツデ
ータを提供するサーバデバイスとしてＵＰｎＰ  Ｍｅｄｉａ  Ｓｅｒｖｅｒ  Ｄｅｖｉｃ
ｅ（以下ＭＳＤとも称す）が定義されているが、本通信システム１では、録画装置１１及
び１２がＭＳＤとして機能する。ＭＳＤである本実施例の録画装置１１及び１２は、予約
録画機能を提供するサービスであるＳＲＳ（Ｓｃｈｅｄｕｌｅｄ  Ｒｅｃｏｒｄｉｎｇ  
Ｓｅｒｖｉｃｅ）を提供する。尚、ＳＲＳについては、ＵＰｎＰ  ＡＶ  ｖ２以降で定義
されている。
【００１５】
以下録画予約の設定の処理については、特に指定した場合を除き、コントロールポイン
トを実装する録画装置１２がＳＲＳを提供する録画装置１１に対して録画予約を設定する
処理を例に説明する。しかしながら、コントロールポイントは録画確認装置１３に実装さ
れていても良く、また、録画装置１２が提供するＳＲＳに対してコントロールポイントを
実装する録画装置１１や録画確認装置１３が録画予約を設定する際についても同様の処理
を行うものとする。
【００１６】
次に、図２を参照しながら録画装置１１の構成を説明する。図２は、録画装置１１の構
成を示す図である。
録画装置１１は、通信Ｉ／Ｆ部２０１と、録画予約情報生成部２０２と、録画予約情報
データベース２０３と、録画予約情報登録部２０４と、予約録画部２０５とから構成され
る。
【００１７】
通信Ｉ／Ｆ部２０１は、録画装置１２や録画確認装置１３とネットワーク１４を介して
通信するための通信インタフェースである。通信Ｉ／Ｆ部２０１は、コントロールポイン
トである録画装置１２から録画予約要求であるＣｒｅａｔｅＲｅｃｏｒｄＳｃｈｅｄｕｌ
ｅアクションを受信すると共に、その応答を送信する。また通信Ｉ／Ｆ部２０１は、録画
確認装置１３へ生成した録画予約情報を送信すると共に、録画確認装置１３から録画が実
行できるか否かの確認要求の受信及びその応答の送信を行う。
【００１８】
録画予約情報生成部２０２は、通信Ｉ／Ｆ部２０１で受信した録画装置１２からの録画
予約要求に基づき、録画予約情報を生成する機能を有する。図３に、録画予約情報生成部
２０２が生成する録画予約情報の例を示す。
【００１９】
ＳＲＳでは、全部で６種類の録画予約形式（ｒｅｃｏｒｄＳｃｈｅｄｕｌｅクラス）が
規定されており、録画予約情報はＸＭＬ（Ｅｘｔｅｎｓｉｂｌｅ  Ｍａｒｋｕｐ  Ｌａｎ
ｇｕａｇｅ）形式で記載される。図３はｍａｎｕａｌクラス（ＯＢＪＥＣＴ．ＲＥＣＯＲ
ＤＳＣＨＥＤＵＬＥ．ＤＩＲＥＣＴ．ＭＡＮＵＡＬクラス）による録画予約情報（ｒｅｃ
ｏｒｄＳｃｈｅｄｕｌｅオブジェクト）の例である。ｍａｎｕａｌクラスでは、録画開始
時刻（ｓｃｈｅｄｕｌｅｄＳｔａｒｔＤａｔｅＴｉｍｅ）、録画時間（ｓｃｈｅｄｕｌｅ
ｄＤｕｒａｔｉｏｎ）、チャネル（ＳｃｈｅｄｕｌｅｄＣｈａｎｎｅｌＩＤ）等が指定さ
れるが、これらの情報は全てＸＭＬ（Ｅｘｔｅｎｓｉｂｌｅ  Ｍａｒｋｕｐ  Ｌａｎｇｕ
ａｇｅ）で記述される。この他、図３の例ではタイトル（ｔｉｔｌｅ）、記録対象となる
媒体（ｒｅｃｏｒｄＤｅｓｔｉｎａｔｉｏｎ、図３の例では優先順位（ｐｒｅｆｅｒｅｎ
ｃｅ）１がＨａｒｄ  Ｄｉｓｋ、優先順位２がＤＶＤ  Ｒｅｃｏｒｄｅｒとなっている）
等が記載されている。
【００２０】
さらに、図３の録画予約情報には、録画予約が設定された録画装置を識別するための識
別情報３１であるｒｅｃｏｒｄＩｎｆｏｒｍａｔｉｏｎ要素内にＭＡＣ（Ｍｅｄｉａ  Ａ
ｃｃｅｓｓ  Ｃｏｎｔｒｏｌ）アドレスが記載されている。録画確認装置１３は当該ＭＡ
Ｃアドレスを参照することにより、当該録画予約情報がどの録画装置のＳＲＳに設定され
た録画予約であるのかを確認することができる。
【００２１】
尚、図３の例では録画予約情報を記載するための情報としてＭＡＣアドレスを用いてい
るがこれに限られるものではない。例えば、ネットワーク１４上の各機器に対し一意に与
えられるＩＰアドレスや、ネットワーク１４上のＵＰｎＰの各デバイスに対し一意に与え
られるＵＵＩＤ、或いは各装置に固有に割り当てられた装置名等の文字列等であっても良
い。
【００２２】
さらに、図３の例では録画装置にの識別情報３１をｒｅｃｏｒｄＩｎｆｏｒｍａｔｉｏ
ｎ要素として記載しているがこれに限られるものではなく、例えばｒｅｃｏｒｄＤｅｓｔ
ｉｎａｔｉｏｎ要素内の文字列に識別情報を付加するようにしても良い。
【００２３】
録画予約情報生成部２０２は図３のような録画予約情報を生成すると、それを録画予約
情報データベース２０３に登録する。尚、録画予約情報データベース２０３は、例えばメ
モリやＨＤＤ（Ｈａｒｄ  Ｄｉｓｋ  Ｄｒｉｖｅ）等の記憶媒体上に実装される。
【００２４】
録画予約情報データベース２０３に登録された録画予約情報であるｒｅｃｏｒｄＳｃｈ
ｅｄｕｌｅオブジェクトを元に、予約録画部２０５は実行主体であるｒｅｃｏｒｄＴａｓ
ｋオブジェクト（録画実行情報）を生成し、これに基づいて予約録画を実行する。
【００２５】
録画予約情報生成部２０２は、録画予約情報を録画予約情報データベース２０３に登録
すると、録画予約要求（ＣｒｅａｔｅＲｅｃｏｒｄＳｃｈｅｄｕｌｅアクション）に対す
る応答を生成して通信Ｉ／Ｆ部２０１から録画装置１２に送信する。このとき、当該応答
には録画予約情報データベース２０３に登録した図３に例を示した録画予約情報、及び生
成した録画予約情報のオブジェクトＩＤ（図３の例では「ｍａｎｕａｌ００１」）が含ま
れる。
【００２６】
さらに、録画予約情報生成部２０２は、当該録画予約情報を録画確認装置１３に登録す
るよう、録画予約情報登録部２０４に命じる。録画予約情報登録部２０４は、録画予約情
報生成部２０２が録画予約情報データベース２０３に登録した、図３に例を示した録画予
約情報を録画確認装置１３に送信する。これにより録画確認装置１３は、録画装置１１に
設定されている録画予約を知ることができる。
【００２７】
続いて、図４を参照しながら録画確認装置１３の構成を説明する。図４は、録画確認装
置１３の構成を示す図である。
録画確認装置１３は、通信Ｉ／Ｆ部３０１と、録画予約情報登録部３０２と、録画予約
情報データベース３０３と、録画実行確認部３０４と、録画予約設定部３０５と、予約録
画部３０６と、通知部３０７とを有する。
【００２８】
尚、本実施例の録画確認装置１３は予約録画部３０６を有して録画機能を有するものと
して以下説明するが、これに限られるものではなく、録画機能は必ずしも有している必要
は無い。
【００２９】
通信Ｉ／Ｆ部３０１は、録画装置１１及び１２とネットワーク１４を介して通信するた
めの通信インタフェースである。通信Ｉ／Ｆ部３０１は、録画装置１１及び１２に設定さ
れた録画予約の録画予約情報を受信すると共に、予約録画を実行することができるか否か
の確認要求を送信する。
【００３０】
録画予約情報登録部３０２は、通信Ｉ／Ｆ部３０１で受信した録画装置１１及び１２か
ら受信した、図３に例を示した録画予約情報を、当該録画装置と対応付けて録画予約情報
データベース３０３に登録する。このように、録画予約情報データベース３０３には、ネ
ットワーク１４上にあるＳＲＳを提供する録画装置１１及び１２に設定された録画予約情
報を原則全て格納することとなる。尚、録画予約情報データベース３０３は、例えばメモ
リやＨＤＤ（Ｈａｒｄ  Ｄｉｓｋ  Ｄｒｉｖｅ）等の記憶媒体上に実装される。
【００３１】
録画実行確認部３０４は、録画予約情報データベース３０３に登録された録画予約情報
に基づき、録画開始時刻の所定時間前等に、当該録画予約情報が設定された録画装置（こ
こでは録画装置１１とする）が当該録画を実行することができるか否かを確認する確認要
求を通信Ｉ／Ｆ部３０１から送信する。尚、当該録画予約情報が設定された録画装置がど
の録画装置であるのかは、識別情報３１を参照することにより確認できる。
【００３２】
例えば録画装置１１が携帯型の装置であってネットワーク１４に接続されておらず、当
該確認要求に対する応答が無かった場合や、録画装置１１から録画不可の応答を受信した
場合には、録画装置１１での録画は不可であると判断することができる。録画実行確認部
３０４は録画装置１１での録画が不可であると判断すると、その旨を録画予約設定部３０
５に通知する。
【００３３】
録画予約設定部３０５は、録画実行確認部３０４からの録画不可の通知を受信すると、
当該録画予約情報データベース３０３に登録された録画予約情報に基づき自身の有する予
約録画部３０６、又は他の録画装置（ここでは録画装置１２とする）に録画予約を設定す
る。これにより、たとえ録画装置１１が録画予約を実行することができない場合であって
も、録画確認装置１３又は録画装置１２が代わりに録画予約を実行することとなるので、
録画漏れを避けることができる。
【００３４】
通知部３０７は、録画実行確認部３０４から録画不可の通知を受信すると、ユーザが有
する携帯電話等の携帯型の装置や、ユーザが使用しているネットワーク１４上の装置に対
し、当初録画予約が設定されていた録画装置１１では録画不可であることを示す警告メー
ルを送信する。なお、警告方法はメールだけに限らず、ブザー等の警告音や画面へのメッ
セージ表示などを用いてユーザに警告を行ってもよい。
【００３５】
尚、録画装置１２に代わりに録画予約を設定する際には、録画予約情報データベース３
０３に登録された、図３に例を示した予約録画情報に基づき録画予約要求であるＣｒｅａ
ｔｅＲｅｃｏｒｄＳｃｈｅｄｕｌｅアクションを録画装置１１に送信することにより、録
画装置１２に録画予約を設定することができる。
【００３６】
以下、録画装置１１及び録画確認装置１３の処理の流れについて説明する。図５は、録
画装置１１による録画予約設定時の処理の流れを示す図である。
録画装置１１は、録画装置１２から録画予約要求であるＣｒｅａｔｅＲｅｃｏｒｄＳｃ
ｈｅｄｕｌｅアクションを通信Ｉ／Ｆ部２０１で受信すると（Ｓ５０１のＹｅｓ）、録画
予約情報生成部２０２は図３に例を示した録画予約情報を生成し、録画予約情報データベ
ース２０３に登録する（Ｓ５０２）。
【００３７】
この録画予約情報の生成に成功すると（Ｓ５０３のＹｅｓ）、録画予約情報生成部２０
２は生成した録画予約情報及びそのオブジェクトＩＤを当該録画予約要求への応答として
送信し（Ｓ５０４）、録画予約情報登録部２０４は登録した録画予約情報を録画確認装置
１３に対して送信する（Ｓ５０５）。
【００３８】
もし、録画予約情報生成部２０２による録画予約情報の生成又は録画予約情報データベ
ース２０３への登録が失敗した場合には（Ｓ５０３のＮｏ）、失敗した旨を示す録画予約
要求への応答を送信する（Ｓ５０６）。
【００３９】
この録画予約情報の登録に係る録画確認装置１３の処理について、図６を参照しながら
説明する。図６は、録画予約情報の登録に係る処理の流れを示すフローチャートである。
【００４０】
通信Ｉ／Ｆ部３０１で、録画装置１１に録画予約が設定された録画予約情報を受信する
と（Ｓ６０１のＹｅｓ）、録画予約情報登録部３０２は当該録画予約情報を録画予約情報
データベース３０３に、当該録画予約情報が設定された録画装置１１の情報と関連付けて
登録する（Ｓ６０２）。
【００４１】
次に、録画予約情報データベース３０３に登録された録画予約情報に基づき、録画確認
装置１３が実行可否の確認を行う処理について図７及び図８を参照しながら説明する。図
７は、通信システム１において、録画実行の可否に基づいて録画予約を再設定する処理の
流れを示す図である。
【００４２】
まず、録画確認装置１３は録画予約情報データベース３０３に登録された録画予約情報
から、当該録画予約の開始時刻の所定時間前であることを検出する（Ｓ７０１）。以下当
該録画予約情報は録画装置１１に設定された録画予約に関する録画予約情報であるものと
して説明する。
【００４３】
録画確認装置１３は当該録画予約情報の識別情報３１を確認して録画予約が設定されて
いる録画装置１１を確認する。そしてこの録画装置１１に対し、当該録画予約情報に対す
る録画実行の可否を問い合わせる確認要求を送信する（Ｓ７０２）。録画装置１１は確認
要求を受信すると、録画実行の可否を応答する（Ｓ７０３）。このとき、録画装置１１が
ネットワーク１４に接続されていない場合には、当然応答することはできない。
【００４４】
録画確認装置１３は、この予約録画の確認要求に対する応答結果に基づき、録画装置１
１の録画の可否を判断する（Ｓ７０４）。先述の通り、録画の確認要求に対する応答が無
かった場合、又は録画の確認要求に対する応答が録画不可の旨の応答であった場合には、
録画不可であると判断することができる。
【００４５】
もし録画装置１１が録画可能であればそのまま録画装置１１に録画させれば良いが、も
し録画装置１１が録画不可である場合には、自身の予約録画部３０６、又は他の録画装置
１２に対して録画予約を設定する。図７では、録画装置１２に録画予約を設定する場合の
処理を示す。
【００４６】
録画確認装置１３の録画予約設定部３０５は、録画装置１２に対し、録画予約情報デー
タベース３０３に登録された録画予約情報から、録画装置１１に設定されていた録画予約
と同じ番組の録画予約を要求するＣｒｅａｔｅＲｅｃｏｒｄＳｃｈｅｄｕｌｅアクション
を録画装置１２に送信する（Ｓ７０５）。録画予約要求を受信した録画装置１２は、当該
録画予約に基づく録画予約の設定結果を応答として送信する（Ｓ７０６）。
【００４７】
図８は、録画確認装置１３の録画予約の実行の可否を問い合わせる処理の流れを示す図
である。
録画予約情報データベース３０３に登録された録画予約情報による録画開始時刻の所定
時間になったことを検出すると（Ｓ８０１のＹｅｓ）、当該録画予約情報による録画予約
が設定されている録画装置（ここでは録画装置１１とする）に対し、録画実行確認部３０
４は当該予約録画の実行が可能であるかを問い合わせる確認要求を送信する（Ｓ８０２）
。録画実行確認部３０４は、当該確認要求に対する応答を受信したか否かを判断し（Ｓ８
０３）、もし応答を受信できなければ、ネットワーク１４に接続されておらず、外部に持
ち出された可能性があるため、録画できない可能性が高い。また、録画装置１１から確認
要求に対する応答を受信した場合であっても（Ｓ８０３のＹｅｓ）、例えばアンテナ線が
抜ける等の事情により予約録画を実行することができない旨の応答を受信することがある
（Ｓ８０４）。
【００４８】
このように、録画装置１１が予約録画を実行できない蓋然性が高い場合には（Ｓ８０３
のＮｏ、Ｓ８０４のＮｏ）、録画予約設定部３０５は他の装置に対し、録画装置１１に設
定されていた録画予約と同様の内容での録画予約を設定する（Ｓ８０５）。これは先述の
通り、自装置の予約録画部３０６に設定してもよいし、或いは録画装置１２に対して録画
予約要求を送信しても良い。
【００４９】
もし、録画装置１１から録画可能の旨の応答を受信した場合には（Ｓ８０４のＹｅｓ）
、そのまま録画装置１１に当該録画予約を任せ、処理を終了する。
以上説明したように、本実施例によれば、ネットワーク上の録画装置に録画予約を設定
されている場合に、当該録画予約が実行可能か否かを確認し、もし録画できない蓋然性が
高い場合には自装置、又は他の録画装置に録画予約を設定する。これにより、予約録画の
実行の確実性を高めることが可能となる。
【００５０】
また、代わりに録画予約を設定する予約録画部３０６を自装置に持てば、たとえネット
ワーク１４上に録画装置１１の代替となる録画装置１２が存在しない場合であっても予約
録画を行うことができ、予約録画の実行の確実性をさらに上げることができる。
【００５１】
録画確認装置１３とは異なる録画装置１２に予約録画を代替させる場合には、録画確認
装置１３自身はＳＲＳの機能を有する必要は無く、簡易な構成で実装することができる。
【００５２】
また、本実施例では録画確認装置１３は録画開始時刻の所定時間前に録画の実行の可否
を問い合わせる確認要求を送信している。録画開始時刻と同時に確認要求を送信すると予
約録画の再設定が手遅れになることもあるが、このように所定時間前に問い合わせること
によりそのような自体を避けることができる。尚、この確認要求を送信する時刻は、例え
ば録画開始時刻の５分乃至１０分程度前とすることができる。録画開始時刻のそれ以上前
に問い合わせると、録画開始時刻までの間に外部に持ち出される等の自体が生じることも
あるからである。
【図面の簡単な説明】
【００５３】
【図１】本発明の実施例１に係る通信システムの構成を示す図。
【図２】本発明の実施例１に係る録画装置の構成例を示す図。
【図３】本発明の実施例１に係る録画装置及び録画確認装置に格納される録画予約情報の例を示す図。
【図４】本発明の実施例１に係る録画確認装置の構成例を示す図。
【図５】本発明の実施例１に係る録画装置の録画予約設定時の処理の流れを示す図。
【図６】本発明の実施例１に係る録画確認装置の録画予約情報の登録する処理の流れを示す図。
【図７】本発明の実施例１に係る通信システムの、録画実行の可否問い合わせに係る処理の流れを示す図。
【図８】本発明の実施例１に係る通信システムの録画予約の実行の可否を問い合わせに係る処理の流れを示す図。
【符号の説明】
【００５４】
１・・・通信システム
１１、１２・・・録画装置
１３・・・録画確認装置
１４・・・ネットワーク
３１・・・識別情報
２０１・・・通信／Ｆ部
２０２・・・録画予約情報生成部
２０３・・・録画予約情報データベース
２０４・・・録画予約情報登録部
２０５・・・予約録画部
３０１・・・通信Ｉ／Ｆ部
３０２・・・録画予約情報登録部
３０３・・・録画予約情報データベース
３０４・・・録画実行確認部
３０５・・・録画予約設定部
３０６・・・予約録画部
３０７・・・通知部
【図１】
2008117433.tif 000003
【図２】
2008117433.tif 000004
【図３】
2008117433.tif 000005
【図４】
2008117433.tif 000006
【図５】
2008117433.tif 000007
【図６】
2008117433.tif 000008
【図７】
2008117433.tif 000009
【図８】
2008117433.tif 000010